(57)【特許請求の範囲】
【請求項１】
ハーフトーン処理されたＮ値画像に重ねられ、且つ注目画素を中心として予め設定される領域内に含まれるイエロー、マジェンダ、シアン及び黒の画素値がオフである第１の画素数と、前記領域内に含まれるイエロー、マジェンダ及びシアンの少なくとも１つの画素値を有する画素が前記領域内に含まれる黒画素と重なる第２の画素数と、前記ハーフトーン処理されたＮ値画像内の前記注目画素に対応する画素のイエロー、マジェンダ及びシアンの画素値のオン又はオフの状態とに基づいて、前記注目画素が色にじみの補正処理を行うべき画素であるか否かを判定する判定手段と、
前記判定手段が、前記注目画素が色にじみの補正処理を行うべき画素であると判定した場合に、前記注目画素に対応する画素のイエロー、マジェンダ及びシアンの画素値をオフにする注目画素決定変更手段とを備えることを特徴とする画像処理装置。
【請求項２】
前記判定手段は、前記第１の画素数が第１の閾値以上であり、前記第２の画素数が第２の閾値以上であり、且つ前記ハーフトーン処理されたＮ値画像内の前記注目画素に対応する画素のイエロー、マジェンダ及びシアンのいずれかの画素値がオンである場合に、前記注目画素が色にじみの補正処理を行うべき画素であると判定することを特徴とする請求項１に記載の画像処理装置。
【請求項３】
前記注目画素決定変更手段は、前記イエロー、前記マジェンダ及び前記シアンの画素値をオフにした画素の黒の画素値がオフである場合に、当該黒の画素値をオンにすることを特徴とする請求項１の画像処理装置。
【請求項４】
前記Ｎ値画像は、２値画像であることを特徴とする請求項１乃至３のいずれか１項に記載の画像処理装置。
【請求項５】
コンピュータを、
ハーフトーン処理されたＮ値画像に重ねられ、且つ注目画素を中心として予め設定される領域内に含まれるイエロー、マジェンダ、シアン及び黒の画素値がオフである第１の画素数と、前記領域内に含まれるイエロー、マジェンダ及びシアンの少なくとも１つの画素値を有する画素が前記領域内に含まれる黒画素と重なる第２の画素数と、前記ハーフトーン処理されたＮ値画像内の前記注目画素に対応する画素のイエロー、マジェンダ及びシアンの画素値のオン又はオフの状態とに基づいて、前記注目画素が色にじみの補正処理を行うべき画素であるか否かを判定する判定手段、及び
前記判定手段が、前記注目画素が色にじみの補正処理を行うべき画素であると判定した場合に、前記注目画素に対応する画素のイエロー、マジェンダ及びシアンの画素値をオフにする画素値決定手段
として機能させることを特徴とするプログラム。
【発明の詳細な説明】
【技術分野】
【０００１】
本発明は、画像処理装置及びプログラムに関する。
【背景技術】
【０００２】
カラー画像の印刷は、複数のプレーン（例えば、ＣＭＹＫのプレーン）の重ね合わせによって実行される。このとき、重ね合わせの位置が複数のプレーン間でずれると、色にじみが発生することがある。この現象は、一般的にレジずれと呼ばれている。この色にじみを抑制するために、文字などのエッジ部分を検出し、検出したエッジ部分のＣＭＹ（シアン、マジェンダ、イエロー）の成分を減量し、Ｋ（黒）の成分を増量する画像処理装置が知られている（例えば、特許文献１）。
【先行技術文献】
【特許文献】
【０００３】
【特許文献１】特開２０００−２０６７５６号公報
【発明の概要】
【発明が解決しようとする課題】
【０００４】
本発明の目的は、ハーフトーン処理されたＮ値画像に色にじみの補正処理を適用することができる画像処理装置及びプログラムを提供することにある。
【課題を解決するための手段】
【０００５】
請求項１に係る発明は、ハーフトーン処理されたＮ値画像に重ねられ、且つ注目画素を中心として予め設定される領域内に含まれるイエロー、マジェンダ、シアン及び黒の画素値がオフである第１の画素数と、前記領域内に含まれるイエロー、マジェンダ及びシアンの少なくとも１つの画素値を有する画素が前記領域内に含まれる黒画素と重なる第２の画素数と、前記ハーフトーン処理されたＮ値画像内の前記注目画素に対応する画素のイエロー、マジェンダ及びシアンの画素値のオン又はオフの状態とに基づいて、前記注目画素が色にじみの補正処理を行うべき画素であるか否かを判定する判定手段と、
前記判定手段が、前記注目画素が色にじみの補正処理を行うべき画素であると判定した場合に、前記注目画素に対応する画素のイエロー、マジェンダ及びシアンの画素値をオフとにする注目画素決定変更手段とを備えることを特徴とする画像処理装置である。
【０００６】
請求項２に係る発明は、請求項１に記載の画像処理装置において、前記判定手段は、前記第１の画素数が第１の閾値以上であり、前記第２の画素数が第２の閾値以上であり、且つ前記ハーフトーン処理されたＮ値画像内の前記注目画素に対応する画素のイエロー、マジェンダ及びシアンのいずれかの画素値がオンである場合に、前記注目画素が色にじみの補正処理を行うべき画素であると判定することを特徴とする画像処理装置である。
【０００７】
請求項３に係る発明は、請求項１の画像処理装置において、前記注目画素決定変更手段は、前記イエロー、前記マジェンダ及び前記シアンの画素値をオフにした画素の黒の画素値がオフである場合に、当該黒の画素値をオンにすることを特徴とする画像処理装置である。
【０００８】
請求項４に係る発明は、請求項１乃至３のいずれか１項に記載の画像処理装置において、前記Ｎ値画像は、２値画像であることを特徴とする画像処理装置である。
【０００９】
請求項５に係る発明は、コンピュータを、ハーフトーン処理されたＮ値画像に重ねられ、且つ注目画素を中心として予め設定される領域内に含まれるイエロー、マジェンダ、シアン及び黒の画素値がオフである第１の画素数と、前記領域内に含まれるイエロー、マジェンダ及びシアンの少なくとも１つの画素値を有する画素が前記領域内に含まれる黒画素と重なる第２の画素数と、前記ハーフトーン処理されたＮ値画像内の前記注目画素に対応する画素のイエロー、マジェンダ及びシアンの画素値のオン又はオフの状態とに基づいて、前記注目画素が色にじみの補正処理を行うべき画素であるか否かを判定する判定手段、及び前記判定手段が、前記注目画素が色にじみの補正処理を行うべき画素であると判定した場合に、前記注目画素に対応する画素のイエロー、マジェンダ及びシアンの画素値をオフとする画素値決定手段として機能させることを特徴とするプログラムである。
【発明の効果】
【００１０】
請求項１の発明によれば、ハーフトーン処理されたＮ値画像に色にじみの補正処理を適用することができる。
【００１１】
請求項２の発明によれば、色にじみの補正処理の対象となる画素を簡易な方法で判定することができる。
【００１２】
請求項３の発明によれば、ハーフトーン処理されたＮ値画像が黒色である場合に、色にじみを抑制することができる。
【００１３】
請求項４の発明によれば、ハーフトーン処理された２値画像に色にじみの補正処理を適用することができる。
【００１４】
請求項５の発明によれば、ハーフトーン処理されたＮ値画像に色にじみの補正処理を適用することができる。
【図面の簡単な説明】
【００１５】
【図１】（Ａ）は、本実施の形態に係る画像処理装置の構成の一例を示すブロック図である。（Ｂ）は、プリント制御部３のハードウエア構成の一例を示す図である。
【図２】（Ａ）は、色にじみが発生していない場合のハーフトーン処理された２値画像を示す図である。（Ｂ）は、図２（Ａ）の文字の一部分の拡大図である。
【図３】（Ａ）は、色にじみが発生している場合のハーフトーン処理された２値画像を示す図である。（Ｂ）は、図３（Ａ）の文字の一部分の拡大図である。
【図４】色にじみ補正処理部９の構成を示すブロック図である。
【図５】（Ａ）は、図２（Ｂ）の文字の一部分に対応するＣ（シアン）プレーンを示す図である。（Ｂ）は、図２（Ｂ）の文字の一部分に対応するＭ（マジェンダ）プレーンを示す図である。（Ｃ）は、図２（Ｂ）の文字の一部分に対応するＹ（イエロー）プレーンを示す図である。（Ｄ）は、図２（Ｂ）の文字の一部分に対応するＫ（黒）プレーンを示す図である。
【図６】（Ａ）は、処理領域５０内に含まれるＣプレーン及びＫプレーンの状態を示す図である。（Ｂ）は、処理領域５０内に含まれるＭプレーン及びＫプレーンの状態を示す図である。（Ｃ）は、処理領域５０内に含まれるＹプレーン及びＫプレーンの状態を示す図である。
【図７】色にじみ補正処理が必要であると色にじみ補正判定部１３によって判定された画素を示す図である。
【図８】（Ａ）は、図２（Ｂ）の２値画像の色にじみ補正処理後の状態を示す図である。（Ｂ）は、図３（Ｂ）の２値画像の色にじみ補正処理後の状態を示す図である。
【図９】（Ａ）は、色にじみ補正処理部９で実行される処理を示すフローチャートである。（Ｂ）は、図９（Ａ）の処理の一部の変形例を示すフローチャートである。
【発明を実施するための形態】
【００１６】
以下、図面を参照しながら本発明の実施の形態を説明する。
【００１７】
図１（Ａ）は、本実施の形態に係る画像処理装置の構成を示すブロック図である。
【００１８】
図１において、画像処理装置１は、例えば、プリンタ、コピー機又は複合機である。画像処理装置１は、入力部２、プリント制御部３及び出力部４を備えている。入力部２は、画像データを入力するインターフェースである。プリント制御部３は、図１（Ｂ）に示すように、ＣＰＵ３１、メモリ３２及び通信インターフェース（Ｉ／Ｆ）３３で構成されており、入力した画像データに所定の画像処理を実行する。出力部４は、画像処理が施された画像データを記録紙に出力する。
【００１９】
プリント制御部３は、ＰＤＬ解釈部５、色変換部６、Ｎ値化処理部７（Ｎ＝２以上）、描画部８及び色にじみ補正処理部９を備えている。ＰＤＬ（Page Description Language）解釈部５は、ページ記述言語を解釈し、画像データを展開する。色変換部６は、画像データのＲＧＢデータ（Red, Green, Blue）をＣＭＹＫデータ(Cyan, Magenta, Yellow, Black)に変換する。Ｎ値化処理部７は、画像データに対し、Ｎ値化処理（例えばハーフトーン処理）を実行する。描画部は、Ｎ値化処理されたデータを貯めて、ビットマップ画像を作成する。色にじみ補正処理部９は、色プレーンのレジずれにより生じる色にじみを抑制するための色にじみの補正処理を実行する。
【００２０】
図２（Ａ）は、色にじみが発生していない場合のハーフトーン処理された２値画像を示す図であり、図２（Ｂ）は、図２（Ａ）の文字の一部分の拡大図である。図３（Ａ）は、色にじみが発生している場合のハーフトーン処理された２値画像を示す図であり、図３（Ｂ）は、図３（Ａ）の文字の一部分の拡大図である。
【００２１】
図２（Ａ）及び図３（Ａ）に示すように、例えば、ハーフトーン処理された２値画像は、ＣＹＭＫの成分が混在した黒文字「Ｂ」である。２値画像は、ディザマトリクス等のハーフトーン処理で生成されるため、図２（Ｂ）及び図３（Ｂ）に示すような、網点状の画像となる。このような２値画像において、Ｃ（シアン）プレーンが他のプレーンとずれると、色にじみが発生する。図２（Ａ）及び（Ｂ）では、Ｃプレーンが他のプレーンに対してずれていない。一方、図３（Ａ）及び（Ｂ）は、Ｃプレーンが他のプレーンに対して下方向に２画素分ずれている。Ｃプレーンのズレによって、文字のエッジ部分（即ち、輪郭）がぼやける。尚、ＫプレーンやＣプレーンのような色プレーンは色版とも呼ばれる。
【００２２】
以下、Ｃプレーンが他のプレーンに対して下方向に２画素分ずれているものとし、文字の輪郭に沿って２ドット幅で色ずれ補正処理を行う例を説明する。また、色ずれ補正処理部９に入力される画像データは、ハーフトーン処理された２値画像であるものとする。
【００２３】
図４は、色にじみ補正処理部９の構成を示すブロック図である。
【００２４】
色にじみ補正処理部９は、処理領域決定部１１、領域特徴量算出部１２、色にじみ補正判定部１３及び注目画素値決定部１４を備えている。色にじみ補正判定部１３は判定手段として機能する。注目画素値決定部１４は変更手段として機能する。
【００２５】
処理領域決定部１１は、２値画像を取得すると、図２（Ｂ）に示すように、中央の画素を注目画素とする５（ドット）ｘ５（ドット）の領域を処理領域５０として決定する。処理領域５０は、５（ドット）ｘ５（ドット）の領域に限定されるものではなく、３（ドット）ｘ３（ドット）の領域でも７（ドット）ｘ７（ドット）の領域でもよい。
【００２６】
図２（Ｂ）の文字の一部分に対応するＣ（シアン）プレーン、Ｍ（マジェンダ）プレーン、Ｙ（イエロー）プレーン及びＫ（黒）プレーンをそれぞれ図５（Ａ）〜図５（Ｄ）に示す。また、処理領域５０内に含まれるＣプレーン及びＫプレーンの状態を図６（Ａ）に示し、処理領域５０内に含まれるＭプレーン及びＫプレーンの状態を図６（Ｂ）に示し、処理領域５０内に含まれるＹプレーン及びＫプレーンの状態を図６（Ｃ）に示す。
【００２７】
領域特徴量算出部１２は、処理領域５０の特徴量を算出する。色にじみ補正判定部１３は、処理領域５０の特徴量に基づいて、注目画素が色にじみの補正処理されるべき画素であるか否かを判定する。注目画素値決定部１４は、入力した２値画像内の注目画素に対応する画素値及び色にじみ補正判定部１３からの出力値に基づいて、出力される注目画素値を決定する。
【００２８】
ここで、処理領域５０のサイズの決定方法を説明する。
【００２９】
５（ドット）ｘ５（ドット）の処理領域５０では、注目画素が文字の内側端の位置に置かれた場合に、２ドット幅以下の色にじみ（レジずれ）がある場合には、使用可能であるが、３ドット幅以上の色にじみがある場合には、使用できない。これは、２ドット幅以下の色にじみがある場合には、シアンの画素が処理領域５０に含まれるが、３ドット幅以上の色にじみがある場合には、シアンの画素が処理領域５０に含まれないからである。従って、５（ドット）ｘ５（ドット）の処理領域５０は、文字の輪郭部に対して２ドット幅以下の色にじみの補正処理を行う場合に使用可能である。
【００３０】
同様に、処理領域５０が３（ドット）ｘ３（ドット）の領域である場合には、処理領域５０は輪郭部に対して１ドット幅の色にじみの補正処理を行う場合に使用可能である。処理領域５０が７（ドット）ｘ７（ドット）の領域である場合には、処理領域５０は文字の輪郭部に対して３ドット幅以下の色にじみの補正処理を行う場合に使用可能である。
【００３１】
このように、色にじみの補正処理を行うドット幅は、処理領域５０のサイズによって変更することが可能である。色にじみの補正処理を行う場合には、色にじみの補正処理を行うためのドット幅を決定する必要がある。このドット幅は、出力部４の仕様から想定されるレジずれのサイズで予め設定することができる。従って、処理領域決定部１１は、出力部４からその仕様の通知を受けて、処理領域５０のサイズを決定する。また、処理領域決定部１１は、ユーザからの入力（例えば、５（ドット）ｘ５（ドット）の領域を選択する指示）に基づいて、処理領域５０のサイズを決定してもよい。
【００３２】
次に、領域特徴量算出部１２の動作について説明する。
【００３３】
領域特徴算出部１２は、処理領域５０を参照して、下記に示す処理領域５０の特徴量を算出する。
（１）白画素（ＣＭＹＫの全成分＝オフ）の画素数：これを「白画素数」という。
（２）ＫとＣＭＹのいずれかが重なる画素の係数：これを「重なり画素数」という。
（３）注目画素のＣＭＹ（以下「注目ＣＭＹ」という）のいずれかがオンであるか否かの情報：注目ＣＭＹの出力は、注目ＣＭＹのいずれかがオンである場合にオンになり、注目ＣＭＹの全てがオフである場合にオフになる。
【００３４】
例えば、領域特徴算出部１２は、図５（Ａ）〜（Ｄ）の処理領域の特徴量を算出すると、算出結果は、白画素数＝１４、重なり画素数＝５、注目ＣＭＹ＝オンとなり、この算出結果が色にじみ補正判定部１３部へ送られる。
【００３５】
次に、色にじみ補正判定部１３の動作について説明する。
【００３６】
色にじみ補正判定部１３は、「白画素数が白画素数閾値以上であり、重なり画素数が重なり画素数閾値以上であり、且つ注目ＣＭＹのいずれかがオン」であるか否か判定し、この条件を満たす場合には、注目画素を色にじみ補正処理すべき画素であると判定する。
【００３７】
白画素数閾値及び重なり画素数閾値は、２値化のハーフトーン処理の特徴や色にじみ補正処理の条件によって予め決定する。２値化のハーフトーン処理の特徴とは、例えば、２値化時に使用したスクリーンの種類やスクリーンの周期構造などである。色にじみ補正処理の条件とは、例えば、処理領域５０のサイズやＣＭＹＫの各画素の分布状態などである。つまり、白画素数閾値及び重なり画素数閾値は、２値化時に使用したスクリーンの種類、２値化時に使用したスクリーンの周期構造、処理領域５０のサイズ、又はＣＭＹＫの各画素の分布状態に応じて、変更される。本実施の形態では、白画素数閾値＝８、重なり画素数閾値＝３とする。この２つの閾値を使用した場合の図２（Ｂ）の全画素の判定結果を図７に示す。図７に示すように、色にじみ補正判定部１３は、２値画像の文字と背景の境界に色にじみ補正の対象画素を検出し、検出結果を注目画素値決定部１４へ送信する。
【００３８】
次に、注目画素値の決定方法について説明する。
【００３９】
注目画素値決定部１４は、入力した２値画像内の注目画素に対応する画素値、及び色にじみ補正判定部１３からの出力値に基づいて、出力される注目画素値を決定する。具体的には、注目画素値決定部１４は、下記条件（１）及び（２）に従って、注目画素値を決定し、出力する。
【００４０】
（１）色にじみ補正判定部１３が、注目画素が色にじみ補正処理の対象画素ではないと判定した場合には、注目画素値決定部１４は、入力した２値画像内の注目画素に対応する画素値をそのまま注目画素値として出力する。
（２）色にじみ補正判定部１３が、注目画素が色にじみ補正処理の対象画素であると判定した場合には、注目画素値決定部１４は、入力した２値画像内の注目画素に対応する画素値のＣＭＹ成分をオフに設定し、その画素値のＫ成分のみを注目画素値として出力する。
【００４１】
尚、色にじみ補正処理の対象画素と判定され且つＣＭＹ成分がオフに設定された画素のＫ成分がオフである場合には、注目画素値決定部１４は、Ｋ成分をオンにしてもよい。この場合、文字の色と同じＫ成分をオンにするので、色にじみは発生しない。また、ＣＭＹ成分が一度にオフにされると、文字の濃度が低下する（薄くなる）が、Ｋ成分がオンになることで、文字の濃度の低下が抑制される。
【００４２】
色にじみ補正処理後の２値画像の状態を図８（Ａ）及び図８（Ｂ）に示す。図８（Ａ）は、図２（Ｂ）の２値画像（即ち、Ｃプレーンが他のプレーンに対してずれていない２値画像）の色にじみ補正処理後の状態を示す。図８（Ｂ）は、図３（Ｂ）の２値画像（即ち、Ｃプレーンが他のプレーンに対して２画素分下にずれている２値画像）の色にじみ補正処理後の状態を示す。
【００４３】
図８（Ａ）に示すように、Ｃプレーンが他のプレーンに対してずれていない２値画像では、色にじみ補正処理の前でも後でも、色にじみは発生しない。一方、Ｃプレーンが他のプレーンに対して２画素分右にずれている２値画像では、図８（Ｂ）に示すように、色にじみ補正処理後に色にじみが発生しなくなる。
【００４４】
図９（Ａ）は、色にじみ補正処理部９で実行される処理を示すフローチャートである。図９（Ｂ）は、図９（Ａ）の処理の一部の変形例を示すフローチャートである。
【００４５】
図９（Ａ）において、まず、処理領域決定部１１が２値画像を取得し（ステップＳ１）、処理領域５０を設定する（ステップＳ２）。領域特徴量算出部１２は、処理領域５０内の白画素数、重なり画素数、且つ注目ＣＭＹのオン／オフ状態を算出する（ステップＳ３）。色にじみ補正判定部１３は、白画素数が白画素数閾値以上であり、重なり画素数が重なり画素数閾値以上であり、且つ注目ＣＭＹのいずれかがオンであるか否か判定する（ステップＳ４）。ここでは、色にじみ補正判定部１３は、注目画素が色にじみ補正処理の対象画素であるか否かを判定している。
【００４６】
ステップＳ４でＹＥＳの場合には、注目画素値決定部１４は、入力した２値画像内の注目画素に対応する画素値のＣＭＹ成分をオフに設定し、その画素値のＫ成分のみを注目画素値として出力し（ステップＳ５）、本処理を終了する。一方、ステップＳ４でＮＯの場合には、注目画素値決定部１４は、入力した２値画像内の注目画素に対応する画素値をそのまま注目画素値として出力し（ステップＳ６）、本処理を終了する。
【００４７】
尚、図９（Ｂ）に示すように、ステップＳ５の処理後、注目画素値決定部１４は、ＣＭＹ成分がオフに設定された画素のＫ成分がオフであるか否かを判定してもよい（ステップＳ７）。ステップＳ７でＹＥＳの場合には、注目画素値決定部１４は、Ｋ成分をオンに設定し、Ｋ成分のみを注目画素値として出力し（ステップＳ８）、本処理を終了する。ステップＳ７でＮＯの場合には、本処理を終了する。
【００４８】
以上説明したように、本実施の形態によれば、色にじみ補正判定部１３が、注目画素を中心として予め設定される処理領域５０内に含まれるイエロー、マジェンダ、シアン及び黒の画素値がオフである白画素数と、処理領域５０内に含まれるイエロー、マジェンダ及びシアンの少なくとも１つの画素値を有する画素が処理領域５０内に含まれる黒画素と重なる重なり画素数と、ハーフトーン処理された２値画像内の注目画素に対応する画素のイエロー、マジェンダ及びシアンの画素値のオン又はオフの状態とに基づいて、注目画素が色にじみの補正処理を行うべき画素であるか否かを判定する。そして、注目画素値決定部１４は、色にじみ補正判定部１３が注目画素が色にじみの補正処理を行うべき画素であると判定した場合に、注目画素に対応する画素のイエロー、マジェンダ及びシアンの画素値をオフにする。よって、ハーフトーン処理された２値画像に色にじみの補正処理を適用することができる。
【００４９】
本実施の形態では、入力画像として、ハーフトーン処理された２値画像を用いているが、ハーフトーン処理されたＮ値画像（Ｎ＝２以上）を入力画像として用いてもよい。例えば、入力画像が４値画像である場合には、ＣＭＹＫのいずれの成分も「００」、「０１」、「１０」及び「１１」で表される。「００」は濃度が０の状態を示し、「０１」、「１０」及び「１１」の順番で濃度が上昇する。上述した説明において、例えば、Ｃがオフであるとは、４値画像のＣの成分が「００」であることに対応する。Ｃがオンであるとは、４値画像のＣの成分が「０１」、「１０」又は「１１」であることに対応する。ＭＹＫの成分についても、これと同様である。この場合、ハーフトーン処理されたＮ値画像に色にじみの補正処理を適用することができる。
【００５０】
従来の色にじみ補正処理では、８ビットの入力画像を使用することを前提としている。このため、省メモリの対策として、入力画像を２値化し、２値画像を保存する画像処理装置、又はアプリケーションで入力画像に対してＮ値のハープトーン処理を行い、Ｎ値画像を出力部に送る画像処理装置には、従来の色にじみ補正処理を適用できない。従って、上述した実施の形態は、これらの画像処理装置に特に有効である。
【００５１】
また、本実施の形態では、色プレーンの画素値の組み合わせ条件（即ち、白画素数及び重なり画素数）の判定を用いて、色にじみ補正処理を実現しているので、パターンマッチング処理のように、大きな領域を使って高精度に色にじみが発生する領域を検出する必要がない。そのため、色にじみ補正処理のために大きなメモリや回路を必要としないので、低コストで実現可能である。
【００５２】
画像処理装置１の機能を実現するためのソフトウェアのプログラムが記録されている記録媒体を、画像処理装置１に供給し、ＣＰＵ３１が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。また、ＣＰＵ３１が、画像処理装置１の機能を実現するためのソフトウェアのプログラムを実行することによっても、上記の実施の形態と同様の効果を奏する。
【００５３】
尚、本発明は、上述した実施の形態に限定されるものではなく、その要旨を逸脱しない範囲内で種々変形して実施することが可能である。
【符号の説明】
【００５４】
１  画像処理装置
２  入力部
３  プリント制御部
４  出力部
５  ＰＤＬ解釈部
６  色変換部
７  Ｎ値化処理部
８  描画部
９  色にじみ補正処理部
１１  処理領域決定部
１２  領域特徴量算出部
１３  色にじみ補正判定部
１４  注目画素値決定部
【図１】
0005360131.tif 000002
【図２】
0005360131.tif 000003
【図３】
0005360131.tif 000004
【図４】
0005360131.tif 000005
【図５】
0005360131.tif 000006
【図６】
0005360131.tif 000007
【図７】
0005360131.tif 000008
【図８】
0005360131.tif 000009
【図９】
0005360131.tif 000010